(57)【特許請求の範囲】
【請求項１】
電波を放射及び受信して被検者の生体情報を個別に検出する複数の電波検出部と、
複数の前記電波検出部各々に対応して個別に近接して配置されて前記電波検出部の周囲温度の変更が可能な複数の温度制御部と、
複数の前記温度制御部の設定温度を個別に設定する設定部と、
を備え、
前記電波検出部は放射する前記電波の周波数が周囲温度の影響で変動する特性を有し、前記電波検出部各々が放射する前記電波の周波数が互いに干渉及び混信しないように、前記設定部が複数の前記温度制御部の設定温度を個別に設定することを特徴とする見守りシステム。
【請求項２】
前記設定部は複数の前記電波検出部各々が放射する前記電波の周波数が異なるように複数の前記温度制御部の設定温度を個別に設定することを特徴とする請求項１に記載の見守りシステム。
【請求項３】
複数の前記電波検出部が放射する前記電波の干渉または混信が発生したか否かを常時監視するとともに電波干渉、電波混信を検出した場合に、前記設定部は前記温度制御部の従前の設定温度を変更することを特徴とする請求項１または請求項２に記載の見守りシステム。
【請求項４】
前記温度制御部は前記電波検出部の周囲温度を変更するためのペルチェ素子を備えることを特徴とする請求項１〜請求項３のいずれかに記載の見守りシステム。
【請求項５】
前記設定部からコマンドを受信して前記電波検出部及び前記温度制御部の動作を制御する制御部を備え、
前記設定部は前記温度制御部の設定温度に係る設定コマンドを前記制御部に対して送信し、前記制御部が前記設定部から受信した設定温度に係る前記設定コマンドに応じて前記温度制御部の動作を制御することを特徴とする請求項１〜請求項４のいずれかに記載の見守りシステム。
【請求項６】
前記設定部からコマンドを受信して前記電波検出部及び前記温度制御部の動作を制御する制御部を備え、
前記設定部は前記電波検出部が放射する前記電波の周波数に係る設定コマンドを前記制御部に対して送信し、前記制御部が前記設定部から受信した周波数に係る前記設定コマンドを前記温度制御部の設定温度に係る設定コマンドに変換して前記温度制御部の動作を制御することを特徴とする請求項１〜請求項４のいずれかに記載の見守りシステム。
【発明の詳細な説明】
【技術分野】
【０００１】
本発明は、介護施設等で過ごす人の健康状態の異常等を検出するための見守りシステムに関する。
【背景技術】
【０００２】
近年、介護施設や病院等で過ごす人の健康状態の異常等を検出するために見守りシステムが提案されている。介護施設や病院等で過ごす人は室内における転倒やベッドからの転落、呼吸や心拍などの異常を起こし易い場合がある。施設には彼らの生活をサポートする介護者、看護者が従事しているが、相対的に人数が少なく、常時付き添うことはできない。このような課題を解決すべく見守りシステムが提案され、それに係る従来技術の一例が特許文献１に開示されている。
【０００３】
特許文献１に記載された安否監視装置は被検者に向けて放射した電波の反射波から被検者の体動と呼吸とに係る生体情報を取得し、その生体情報から被検者の安否を監視している。被検者の生体情報の取得にはマイクロ波を用いた放射波とその反射波とのずれを検出して出力するドップラーセンサを利用する。これにより、被検者の体動と呼吸とを正しく検出することが可能になる。
【先行技術文献】
【特許文献】
【０００４】
【特許文献１】特開２０１２−７５８６１号公報
【発明の概要】
【発明が解決しようとする課題】
【０００５】
しかしながら、特許文献１に記載された従来技術では複数の被検者各々に個別に対応する複数の電波センサを設置すると、電波干渉、電波混信が発生する可能性が高くなるといった課題があった。これにより、被検者各々の生体情報を個別に正確に検出することができない虞があった。また、居室のベッドの増設やベッドの室内における移動などに伴って電波センサも増設、移動させる必要があり、逐次変更しなければならない電波センサの設定に手間がかかるといった課題もあった。
【０００６】
また、電波センサには放射する電波の周波数が外部からのレジスタ設定等でデジタル的に任意に変更可能な仕様のものと、周波数が予め所定値に固定されて外部から設定等で変更ができない仕様のものとが存在する。上記従来技術の複数の電波センサが、放射する電波の周波数が設定等で変更ができない仕様である場合、電波干渉、電波混信が発生する可能性が高くなる課題もあった。
【０００７】
本発明は、上記の点に鑑みなされたものであり、簡便な構成で複数の被検者の生体情報を個別に正確に検出することが可能な見守りシステムを提供することを目的とする。
【課題を解決するための手段】
【０００８】
上記の課題を解決するため、本発明の見守りシステムは、電波を放射及び受信して被検者の生体情報を個別に検出する複数の電波検出部と、複数の前記電波検出部各々に対応して個別に近接して配置されて前記電波検出部の周囲温度の変更が可能な複数の温度制御部と、複数の前記温度制御部の設定温度を個別に設定する設定部と、を備え、前記電波検出部は放射する前記電波の周波数が周囲温度の影響で変動する特性を有し、前記電波検出部各々が放射する前記電波の周波数が互いに干渉及び混信しないように、前記設定部が複数の前記温度制御部の設定温度を個別に設定することを特徴としている。
【０００９】
放射する電波の周波数が予め所定値に固定されて外部から設定等で変更ができない仕様の電波検出部には、放射する電波の周波数が周囲温度の影響で変動する特性を有するものが多いことが一般的に知られている。これに対応して、上記構成によると、複数の電波検出部各々に対応する温度制御部の設定温度を個別に設定することで、複数の電波検出部各々が放射する電波の周波数が個別に変更される。これにより、例えば施設で過ごす複数の被検者に対応する数量の複数の電波検出部各々において干渉や混信が発生しない周波数となった電波が放射される。そして、それら複数の電波検出部を用いて、複数の被検者の生体情報が個別に正確に検出される。
【００１０】
また、上記構成の見守りシステムにおいて、前記設定部は複数の前記電波検出部各々が放射する前記電波の周波数が異なるように複数の前記温度制御部の設定温度を個別に設定することを特徴としている。
【００１１】
また、上記構成の見守りシステムにおいて、複数の前記電波検出部が放射する前記電波の干渉または混信が発生したか否かを常時監視するとともに電波干渉、電波混信を検出した場合に、前記設定部は前記温度制御部の従前の設定温度を変更することを特徴としている。
【００１２】
また、上記構成の見守りシステムにおいて、前記温度制御部は前記電波検出部の周囲温度を変更するためのペルチェ素子を備えることを特徴としている。
【００１３】
また、上記構成の見守りシステムにおいて、前記設定部からコマンドを受信して前記電波検出部及び前記温度制御部の動作を制御する制御部を備え、前記設定部は前記温度制御部の設定温度に係る設定コマンドを前記制御部に対して送信し、前記制御部が前記設定部から受信した設定温度に係る前記設定コマンドに応じて前記温度制御部の動作を制御することを特徴としている。
【００１４】
また、上記構成の見守りシステムにおいて、前記設定部からコマンドを受信して前記電波検出部及び前記温度制御部の動作を制御する制御部を備え、前記設定部は前記電波検出部が放射する前記電波の周波数に係る設定コマンドを前記制御部に対して送信し、前記制御部が前記設定部から受信した周波数に係る前記設定コマンドを前記温度制御部の設定温度に係る設定コマンドに変換して前記温度制御部の動作を制御することを特徴としている。
【発明の効果】
【００１５】
本発明によると、複数の電波検出部が、放射する電波の周波数が設定等で変更できない仕様であっても、温度制御部を利用することでそれら電波の周波数を変更することができる。さらに、複数の被検者各々に対応させて設置した複数の電波検出部の電波干渉、電波混信の発生を抑制することができる。そして、簡便な構成で複数の被検者の生体情報を個別に正確に検出することが可能になる。
【図面の簡単な説明】
【００１６】
【図１】本発明の第１実施形態に係る見守りシステムの概略構成図である。
【図２】本発明の第１実施形態に係る見守りシステムのセンサボックスの構成図である。
【図３】本発明の第１実施形態に係る見守りシステムのセンサボックスによる被検者の生体情報の検出状況を示す説明図である。
【図４】本発明の第１実施形態に係る見守りシステムのセンサボックスの電波検出部の放射周波数の温度特性を示すグラフである。
【図５】本発明の第１実施形態に係る見守りシステムによるセンサボックスの設定方法を示す説明図である。
【図６】本発明の第１実施形態に係る見守りシステムによるセンサボックスに対する設定処理の一例を示すフローチャートである。
【図７】本発明の第２実施形態に係る見守りシステムのセンサボックスの電波検出部の出力信号を示すグラフである。
【図８】本発明の第２実施形態に係る見守りシステムによるセンサボックスに対する監視及び再設定処理の一例を示すフローチャートである。
【発明を実施するための形態】
【００１７】
以下、本発明の実施形態を図面に基づき説明する。
【００１８】
＜第１実施形態＞
最初に、本発明の第１実施形態に係る見守りシステムの構成について、図１及び図２を用いて説明する。図１は見守りシステムの概略構成図である。図２は見守りシステムのセンサボックスの構成図である。
【００１９】
見守りシステム１は、例えば図１に示す介護施設に設置される。介護施設は例えばスタッフステーション１００、居室１０１〜１１４及び有線ＬＡＮ（Local Area Network）４００を備える。なお、図１は介護施設の一のフロアを平面的に見た概略を示す。
【００２０】
スタッフステーション１００は介護施設で過ごす被介護者の生活をサポートする介護者の所謂詰め所である。
【００２１】
被介護者の居室には一人部屋である居室１０６〜１０９と、二人部屋である居室１０１〜１０５及び居室１１０〜１１４と、が混在する。各居室には被介護者の人数分のベッド２０１〜２１４が設置されている。なお、二人部屋である居室１０１〜１０５及び居室１１０〜１１４には不図示の窓側に設置されたベッド２０１ｗ、２０２ｗ〜２１４ｗと、不図示の通路側に設置されたベッド２０２ｐ、２０４ｐ〜２１４ｐと、が存在する。なお、この説明において、特に限定する必要がある場合を除いて「ｗ」、「ｐ」の識別符号を省略することがある。
【００２２】
有線ＬＡＮ４００はスタッフステーション１００と居室１０１〜１１４との間の通信のために設置されている。なお有線ＬＡＮ４００に代えて無線ＬＡＮが設置されている場合もある。
【００２３】
見守りシステム１は管理サーバ２及びセンサボックス１１〜２４を備える。
【００２４】
管理サーバ２はスタッフステーション１００に設置され、有線ＬＡＮ４００に通信可能に接続される。管理サーバ２はリモートで制御することも可能である。
【００２５】
管理サーバ２は不図示の演算部や記憶部、その他の電子部品で構成された主制御部３を備える。主制御部３は記憶部等に予め記憶、入力されたプログラム、データに基づき、センサボックス１１〜２４から情報を得るとともに被介護者（被検者）の異常等を検出するための一連の処理を実現する。主制御部３は設定部４及び電波検出部設定リスト５を備える。
【００２６】
設定部４はセンサボックス１１〜２４が搭載する後述の電波検出部４２の動作条件を個別に設定する。電波検出部４２の動作条件として放射周波数とその放射周波数に対応する後述の温度制御部４６の設定温度とが、各電波検出部４２に対応して個別に電波検出部設定リスト５に保存されている。
【００２７】
センサボックス１１〜２４は各居室のベッドに対応付けて各居室の天井に設置され、有線ＬＡＮ４００に通信可能に接続される。一人部屋である居室１０６〜１０９にはセンサボックス１６〜１９が設置される。二人部屋である居室１０１〜１０５及び居室１１０〜１１４には窓側に設置されたベッド２０１ｗ、２０２ｗ〜２１４ｗに対応付けてセンサボックス１１ｗ、１２ｗ〜２４ｗが設置され、通路側に設置されたベッド２０２ｐ、２０４ｐ〜２１４ｐに対応付けてセンサボックス１２ｐ、１４ｐ〜２４ｐが設置される。
【００２８】
続いて、センサボックスの詳細な構造を説明するが、すべてのセンサボックスは基本的構造が同じであるので、居室１０６に設置されたセンサボックス１６を代表例として図２を用いて説明する。
【００２９】
センサボックス１６は、図２に示すように光学検出部４１、電波検出部４２、温度制御部４６及び制御部４３を備える。
【００３０】
光学検出部４１は映像により被検者の状態を検出するためのカメラによって構成される。光学検出部４１は各居室のベッドに向けて設置され、被検者の起床や離床、転倒などを映像によって検出する。光学検出部４１は真っ暗な環境でも被検者の状態が映像として検出できるようにＩＲカットフィルタが取り除かれ、近赤外線光の投光部（不図示）を備える。また、光学検出部４１のカメラは広角レンズを備えることにより居室全体を撮像することが可能である。
【００３１】
電波検出部４２は電波を放射及び受信して被検者の生体情報を個別に検出するためのマイクロ波ドップラーセンサによって構成される。電波検出部４２は不図示の放射部及び受信部を備え、例えば２４ＧＨｚ帯のマイクロ波を各居室のベッドに向けて放射し、被検者で反射したドップラーシフトした反射波を受信する。電波検出部４２はその反射波から被検者の呼吸状態や心拍数を検出する。
【００３２】
なお、電波検出部４２は放射するマイクロ波の周波数が予め所定値に固定されて外部から設定等で変更ができない仕様になっている。また、電波検出部４２は放射するマイクロ波の周波数が周囲温度の影響で変動する温度特性を有する。このため、センサボックス１６は電波検出部４２の周囲温度の変更が可能な温度制御部４６を備える。
【００３３】
温度制御部４６は複数の電波検出部４２各々に対応して個別に近接して配置される。温度制御部４６は例えばペルチェ素子などといった熱電素子を備え、熱電素子への入力信号である電流値を制御することでその温度を設定し、電波検出部４２の周囲温度を変更することができる。電波検出部４２が放射するマイクロ波の周波数を変更するための温度制御部４６の設定方法の詳細については後述する。
【００３４】
制御部４３は不図示の演算部や記憶部、その他の電子部品で構成され、記憶部等に予め記憶、入力されたプログラム、データに基づき、光学検出部４１及び電波検出部４２から情報を得るとともにそれら構成要素の動作を制御して被検者の状態の検出に係る画像処理や信号処理を実現する。制御部４３は情報処理部４４及びインタフェース部４５を備える。
【００３５】
情報処理部４４には光学検出部４１及び電波検出部４２からの出力が入力される。情報処理部４４は光学検出部４１から受信した映像データに対して画像処理を実行し、映像から被検者の状態を検出する。情報処理部４４は電波検出部４２から受信したマイクロ波データに対して信号処理を実行し、マイクロ波から被検者の状態を検出する。
【００３６】
インタフェース部４５には有線ＬＡＮ４００のネットワークケーブル（不図示）が電気的に接続される。センサボックス１６が映像やマイクロ波に基づき検出した被検者の状態に係る情報はインタフェース部４５及び有線ＬＡＮ４００を介して管理サーバ２に送信される。なお、管理サーバ２はセンサボックス１６から受信した被検者の状態に係る情報を自身が有する表示部（不図示）に表示したり、介護者が所有する携帯端末等（不図示）に送信したりする。
【００３７】
そして、見守りシステム１は設定部４がセンサボックス１１〜２４に関して、互いに電波干渉及び電波混信が発生しない所定条件を満足するセンサボックス１１〜２４各々の電波検出部４２が放射すべきマイクロ波の周波数を導出する。さらに、設定部４はそれら周波数のマイクロ波を各電波検出部４２に放射させるための設定温度に係る制御信号を、有線ＬＡＮ４００を介してセンサボックス１１〜２４の温度制御部４６に配信し、各温度制御部４６において対応する設定温度を個別に設定させる。
【００３８】
続いて、設定部４によるセンサボックス１１〜２４各々の温度制御部４６の設定方法について、図３〜図６を用いて説明する。図３はセンサボックス１６、１７による被検者の生体情報の検出状況を示す説明図であって、居室の内部を側方から見た図である。図４は電波検出部４２の放射周波数の温度特性を示すグラフである。図５はセンサボックス１１〜１５の設定方法を示す説明図である。図６はセンサボックス１１〜２４に対する設定処理の一例を示すフローチャートである。なお、図３では居室１０６、１０７を例として掲げ、図５では居室１０１〜１０５を例として掲げて説明するが、他の居室においても同様に電波検出部４２の設定が実行される。
【００３９】
例えば図３に示すように、居室１０６にはベッド２０６及びセンサボックス１６が設置され、隣接する居室１０７にはベッド２０７及びセンサボックス１７が設置される。センサボックス１６、１７は各々居室１０６、１０７の天井の水平方向の中央部に設置される。検出感度を高めるために、センサボックス１６、１７各々の電波検出部４２は図３に記した矢印が指すベッド２０６、２０７の方向を向くようにセンサボックス１６、１７各々に設けられる。
【００４０】
そして、設定部４は電波検出部４２、すなわちセンサボックス１６、１７の配置、センサボックス１６、１７によるマイクロ波の放射方向及びセンサボックス１６、１７の間の距離に基づき、電波干渉、電波混信が発生しない所定条件を満足するセンサボックス１６、１７各々の電波検出部４２が放射すべきマイクロ波の周波数を導出する。電波干渉、電波混信が発生しない所定条件としては、例えば隣り合うセンサボックス１６、１７の最小離隔距離と、隣り合うセンサボックス１６、１７が使用するマイクロ波の最小離隔周波数と、を考慮する。
【００４１】
センサボックス１６、１７の最小離隔距離は電波検出部４２の性能等から鑑みて、例えば５ｍに予め設定される。センサボックス１６、１７の間の距離Ｌ１が５ｍ以上である場合、設定部４はセンサボックス１６、１７各々の電波検出部４２が放射するマイクロ波の周波数を同じにする場合がある。一方、センサボックス１６、１７の間の距離Ｌ１が５ｍ未満である場合、設定部４はセンサボックス１６、１７各々の電波検出部４２が放射するマイクロ波の周波数を異ならせる。これにより、センサボックス１６、１７の間で電波干渉、電波混信が発生しないようにする。
【００４２】
なお、センサボックス１６、１７の最小離隔距離については、センサボックス１６、１７によるマイクロ波の放射方向に関連する条件として隣り合う居室のベッド２０６、２０７の間の距離Ｌ２も考慮される。すなわち、ベッド２０６、２０７の間の距離Ｌ２が５ｍ以上である場合、設定部４はセンサボックス１６、１７各々の電波検出部４２が放射するマイクロ波の周波数を同じにする場合がある。一方、ベッド２０６、２０７の間の距離Ｌ２が５ｍ未満である場合、設定部４はセンサボックス１６、１７各々の電波検出部４２が放射するマイクロ波の周波数を異ならせる。これにより、センサボックス１６、１７の間で電波干渉、電波混信が発生しないようにする。
【００４３】
センサボックス１６、１７が使用するマイクロ波の最小離隔周波数は電波検出部４２の性能等から鑑みて、例えば５ＭＨｚに予め設定される。センサボックス１６、１７の間の距離Ｌ１やベッド２０６、２０７の間の距離Ｌ２にかかわらず、設定部４はセンサボックス１６、１７各々の電波検出部４２が放射するマイクロ波の周波数を５ＭＨｚ以上離隔した周波数に設定することがある。これにより、センサボックス１６、１７の間では電波干渉、電波混信が発生しないようにする。
【００４４】
電波検出部４２が放射するマイクロ波の周波数の変更には温度制御部４６を利用する。電波検出部４２は、周囲温度の影響で変動する周波数に関して図４に示す温度特性を有する。一般的な電波検出部４２は例えば−０．１〜−１．０ＭＨｚ／℃の特性を有するものが多い。ここでは、電波検出部４２が例えば−１．０ＭＨｚ／℃の特性を有するものとして説明する。すなわち、設定部４はセンサボックス１６、１７各々の電波検出部４２が互いに５ＭＨｚ以上離隔した周波数のマイクロ波を放射するようにするために、センサボックス１６、１７各々の電波検出部４２の周囲温度に５℃以上の差異が生じるように各々の温度制御部４６の温度を設定する。
【００４５】
図５に示す居室１０１〜１０５の場合、合計８台のベッドが設けられている。これに対して、設定部４は設定Ａから設定Ｈまでの５ＭＨｚずつ離隔した８種のマイクロ波の周波数を導出し、さらにそれら周波数各々に対応する温度制御部４６の設定温度を算出し、それら設定温度をセンサボックス１１ｗ、１２ｐ、１２ｗ、１３ｗ、１４ｐ、１４ｗ、１５ｐ及び１５ｗに個別に設定する。
【００４６】
このようにして、各居室のセンサボックスの電波検出部４２が放射するマイクロ波の周波数に対応する温度制御部４６の設定温度を個別に設定すると、各居室のベッドで休む被検者Ｓに対してマイクロ波を放射及び受信して被検者Ｓの生体情報を個別に正確に検出することが可能になる。
【００４７】
続いて、センサボックス１１〜２４に対する設定処理の一例について、図６に示すフローに沿って説明する。
【００４８】
例えば、図１に示す介護施設に見守りシステム１を導入する際に各居室のセンサボックスに対する初期設定が開始される（図６のスタート）。
【００４９】
ステップ＃１０１では管理サーバ２に対するユーザの操作によって各センサボックスの配置状況が入力される。各センサボックスの配置状況としてはセンサボックスの数量、隣り合うセンサボックスの間の距離、隣り合うベッドの間の距離などに係る情報が入力される。
【００５０】
ステップ＃１０２では入力された各センサボックスの配置状況に係る情報に基づいて設定部４が各センサボックスの電波検出部４２が放射すべきマイクロ波の周波数を導出する。設定部４は各センサボックスの配置、センサボックスによるマイクロ波の放射方向及び隣り合うセンサボックスの間の距離に基づいて電波干渉、電波混信が発生しない所定条件を満足するセンサボックス各々が放射すべきマイクロ波の周波数を導出する。導出された周波数は各センサボックスの電波検出部４２に対応して個別に電波検出部設定リスト５に保存される。
【００５１】
ステップ＃１０３では導出された周波数に対応する電波検出部４２の周囲温度を設定部４が算出する。算出された電波検出部４２の周囲温度は温度制御部４６の設定温度として各センサボックスの電波検出部４２に対応して個別に電波検出部設定リスト５に保存される。
【００５２】
ステップ＃１０４では算出された温度制御部４６の設定温度が管理サーバ２から有線ＬＡＮ４００を介して各センサボックスに向けて個別に配信される。
【００５３】
ステップ＃１０５では配信された設定温度を受信した各センサボックスにおいてその温度が温度制御部４６に個別に設定される。なお、各センサボックスの温度制御部４６に適用される設定温度を管理サーバ２から配信して各センサボックスにおいて設定する際、設定部４が温度制御部４６の設定温度に係る設定コマンドを各センサボックスに対して送信する。各センサボックスでは制御部４３が管理サーバ２（設定部４）から受信した設定コマンドに応じて、温度制御部４６に対して設定温度に対応する電流値を出力する。
【００５４】
設定部４が送信する設定コマンドについては、電波検出部４２が放射するマイクロ波の周波数に係る設定コマンドを電波検出部４２に対して送信しても良い。この場合、各センサボックスにおいて制御部４３が管理サーバ２（設定部４）から受信した周波数に係る設定コマンドを温度制御部４６の設定温度に係る設定コマンドに変換し、温度制御部４６に対して設定温度に対応する電流値を出力する。この場合、制御部４３には温度制御に係る設定コマンドと周波数制御に係る設定コマンドとの変換テーブルを予め記憶させる。
【００５５】
ステップ＃１０６では各センサボックスの電波検出部４２が放射するマイクロ波の周波数が所定条件を満足しているか否かが管理サーバ２において再確認される。例えば、第一の所定条件としては、隣り合うセンサボックスの電波検出部４２が放射する互いのマイクロ波の周波数が５ＭＨｚ以上離隔しているという条件である。また例えば、第二の所定条件としては、隣り合うセンサボックスの電波検出部４２が放射する互いのマイクロ波の周波数の離隔が５ＭＨｚ未満であって、隣り合うセンサボックスまたはベッドの間の距離が５ｍ以上離隔しているという条件である。
【００５６】
ステップ＃１０６において所定条件を満足しない場合はステップ＃１０２に移行し、所定条件を満足する場合は初期設定を終了する（図６のエンド）。
【００５７】
＜第２実施形態＞
次に、本発明の第２実施形態に係る見守りシステムについて、図７及び図８を用いて説明する。図７は見守りシステムのセンサボックスの電波検出部の出力信号を示すグラフである。図８は見守りシステムによるセンサボックスに対する監視及び再設定処理の一例を示すフローチャートである。なお、この実施形態の基本的な構成は先に説明した第１実施形態と同じであるので、第１実施形態と共通する構成要素には前と同じ符号を付してその説明を省略するものとする。
【００５８】
図７は、横軸をドップラー周波数とし、縦軸をフーリエ変換後のパワースペクトラムとしたときの電波検出部４２の出力信号波形を示す。
【００５９】
図７の実線波形は居室に人がいない場合の背景ノイズパターンである。一般的に、電波検出部４２の出力信号は１／ｆノイズの影響で低周波領域において高く、周波数が高くなるに従って低下する傾向がある。一方、破線波形は２つのセンサボックスを１ｍの距離を隔てて配置して動作させ、双方に同じ周波数のマイクロ波を放射させた場合のノイズパターンである。同じ周波数のマイクロ波を放射しているので電波干渉、電波混信が発生し、全周波数領域においてフラットなスペクトルパターンとなっていることが分かる。
【００６０】
これらの波形を比較すると明らかに異なる特性が現れているので、複数の電波検出部４２が放射するマイクロ波に干渉や混信といった異常状態が発生したか否かを容易に検出することが可能になる。
【００６１】
一方、見守りシステム１の初期導入の後、居室におけるベッド及びセンサボックス（電波検出部４２）の増設や位置変更に伴い、マイクロ波の放射方向や隣り合うセンサボックスの間の距離に変更が生じる場合がある。また、介護施設において他の電波発信デバイスが設置、使用される場合もある。これらの場合に、複数の電波検出部４２が放射及び受信するマイクロ波に干渉や混信といった異常状態が発生する可能性がある。
【００６２】
そこで、第２実施形態の見守りシステム１はその稼働中に複数の居室の被検者の生体情報を個別に検出しながら、複数の電波検出部４２が放射するマイクロ波に干渉や混信が発生したか否かを常時監視する。そして、電波干渉、電波混信を検出した場合に、設定部４は電波検出部４２が放射するマイクロ波の周波数を変更するために、温度制御部４６の従前の設定温度を変更する。
【００６３】
続いて、センサボックス１１〜２４に対する監視及び再設定処理の一例について、図８に示すフローに沿って説明する。
【００６４】
例えば、図１に示す介護施設において見守りシステム１を稼働させると、センサボックスによって居室の被検者の生体情報の検出が開始されるとともに、電波検出部４２が放射するマイクロ波の異常状態の監視が開始される（図８のスタート）。
【００６５】
ステップ＃２０１では複数の電波検出部４２が放射するマイクロ波に干渉や混信といった異常状態が発生したか否かが判別される。異常状態は前述の図７で示したマイクロ波の波形の特性の差異に基づき判別される。電波干渉、電波混信が検出されない場合は引き続きステップ＃２０１による監視を継続し、電波干渉、電波混信が検出された場合はステップ＃２０２に移行する。
【００６６】
ステップ＃２０２では電波干渉、電波混信が発生しないように、設定部４が各センサボックスの電波検出部４２が放射すべきマイクロ波の周波数を再び導出する。導出された周波数は各センサボックスの電波検出部４２に対応して個別に電波検出部設定リスト５に保存される。
【００６７】
ステップ＃２０３では導出された周波数に対応する電波検出部４２の周囲温度を設定部４が算出する。算出された電波検出部４２の周囲温度は温度制御部４６の設定温度として各センサボックスの電波検出部４２に対応して個別に電波検出部設定リスト５に保存される。
【００６８】
ステップ＃２０４では算出された温度制御部４６の設定温度が管理サーバ２から有線ＬＡＮ４００を介して各センサボックスに向けて個別に配信される。
【００６９】
ステップ＃２０５では配信された設定温度を受信した各センサボックスにおいてその温度が温度制御部４６に個別に設定される。
【００７０】
ステップ＃２０５の処理を終えると再びステップ＃２０１に戻り、マイクロ波の異常状態の監視が継続される。
【００７１】
上記第１及び第２実施形態のように、見守りシステム１はマイクロ波を放射及び受信して被検者の生体情報を個別に検出する複数の電波検出部４２（センサボックス）と、複数の電波検出部４２各々に対応して個別に近接して配置されて電波検出部４２の周囲温度の変更が可能な複数の温度制御部４６と、複数の温度制御部４６の設定温度を個別に設定する設定部４と、を備える。そして、電波検出部４２は放射するマイクロ波の周波数が周囲温度の影響で変動する特性を有し、電波検出部４２各々が放射するマイクロ波の周波数が互いに干渉及び混信しないように、設定部４が複数の温度制御部４６の設定温度を個別に設定する。
【００７２】
この構成によると、放射するマイクロ波の周波数が外部から設定等で変更できない仕様の電波検出部４２に関して、複数の電波検出部４２各々に対応する温度制御部４６の設定温度を個別に設定することで、複数の電波検出部４２各々が放射するマイクロ波の周波数が個別に変更される。これにより、介護施設で過ごす複数の被検者に対応する数量の複数の電波検出部４２各々において干渉や混信が発生しない周波数となったマイクロ波が放射される。そして、複数の被検者の生体情報を個別に正確に検出することが可能になる。
【００７３】
また、上記実施形態のように、設定部４は複数の電波検出部４２各々が放射するマイクロ波の周波数が異なるように複数の温度制御部４６の設定温度を個別に設定する。
【００７４】
この構成によると、複数の電波検出部４２各々が、電波干渉、電波混信といった異常状態が発生しない周波数のマイクロ波を放射するようにさせることができる。したがって、複数の電波検出部４２が、放射するマイクロ波の周波数が外部から設定等で変更できない仕様であっても、複数の被検者の生体情報を個別に正確に検出することが可能である。
【００７５】
また、第２実施形態のように、複数の電波検出部４２が放射するマイクロ波の干渉や混信が発生したか否かを常時監視するとともにマイクロ波の干渉、混信を検出した場合に、設定部４は温度制御部４６の従前の設定温度を変更する。
【００７６】
この構成によると、例えば居室におけるベッド及びセンサボックス（電波検出部４２）の増設や位置変更、また他の電波発信デバイスの設置、使用に対応して被検者の生体情報の検出に係るマイクロ波の異常状態を発見することができる。そして、その異常状態に対応して電波干渉、電波混信が発生しないマイクロ波の周波数を再導出し、その周波数のマイクロ波を電波検出部４２が放射するように、複数の温度制御部４６各々に個別に温度を再設定することが可能である。
【００７７】
そして、温度制御部４６は電波検出部４２の周囲温度を変更するためのペルチェ素子を備える。
【００７８】
この構成によると、比較的容易に入手可能な機能部材（熱電素子）により温度制御部４６を構成することができる。したがって、簡便な構成で複数の被検者の生体情報を個別に正確に検出することが可能になる。
【００７９】
また、各センサボックスは、設定部４からコマンドを受信して電波検出部４２及び温度制御部４６の動作を制御する制御部４３を備える。そして、設定部４は温度制御部４６の設定温度に係る設定コマンドを制御部４３に対して送信する。制御部４３は設定部４から受信した設定温度に係る設定コマンドに応じて温度制御部４６に対してその設定温度に対応する電流値を出力し、温度制御部４６の動作を制御する。
【００８０】
この構成によると、温度制御部４６の設定温度に係る設定コマンドが直接設定部４（管理サーバ２）から各センサボックスに送信される。センサボックスでは特別な信号処理を実行することなく、温度制御部４６を容易に制御することが可能になる。
【００８１】
また、設定部４は電波検出部４２が放射するマイクロ波の周波数に係る設定コマンドを制御部４３に対して送信する。制御部４３は設定部４から受信した周波数に係る設定コマンドを温度制御部４６の設定温度に係る設定コマンドに変換して温度制御部４６に対してその設定温度に対応する電流値を出力し、温度制御部４６の動作を制御する。
【００８２】
この構成によると、電波検出部４２が放射するマイクロ波の周波数に係る設定コマンドが設定部４（管理サーバ２）から各センサボックスに送信される。管理サーバ２上では電波検出部４２が放射するマイクロ波の周波数を直接識別することができるので、マイクロ波の周波数の把握や管理を容易に行うことが可能になる。
【００８３】
以上、本発明の実施形態につき説明したが、本発明の範囲はこれに限定されるものではなく、発明の主旨を逸脱しない範囲で種々の変更を加えて実施することができる。
【００８４】
例えば、上記実施形態で示したセンサボックスの電波検出部４２が放射すべきマイクロ波の周波数やその設定のための温度制御部４６の温度の設定値（例えば図５参照）は一例であって、これらに限定されるわけではない。
【００８５】
また、温度制御部４６に用いる熱電素子はペルチェ素子に限定されるわけではなく、他の熱電素子や機能部材を用いても良い。例えば、光学検出部４１の投光部に用いられるＬＥＤ（Light Emitting Diode）等の発光素子を温度制御部４６として兼用し、この発光素子の発熱を利用して電波検出部４２の周囲温度を変更しても良い。この場合、新たな熱電素子を用意する必要がないので、使用部材やコスト、製造工数の増加を抑制することができ、効率的でもある。
【００８６】
また、複数の電波検出部としてマイクロ波の周波数が外部から直接変更できない仕様のものと、直接変更可能な仕様のものとが混在する場合、周波数が直接変更できない電波検出部に対しては温度制御部を介して周波数を制御し、周波数が直接変更可能な電波検出部に対しては周波数を直接制御すれば良い。この場合、２つのタイプの電波検出部を区別して制御する必要がないように、温度制御に係る設定コマンドと周波数制御に係る設定コマンドとの変換テーブルを各センサボックスの制御部に予め記憶させる。そして、管理サーバが温度或いは周波数のいずれか一方に係る設定コマンドをセンサボックスに送信し、各センサボックスの制御部において各々の電波検出部の仕様に対応した設定コマンドに変換して電波検出部が放射する周波数が互いに干渉及び混信しないようにすれば良い。
【産業上の利用可能性】
【００８７】
本発明は、介護施設等で過ごす人の健康状態の異常等を検出するための見守りシステムにおいて利用可能である。
【符号の説明】
【００８８】
１    見守りシステム
２    管理サーバ
３    主制御部
４    設定部
５    電波検出部設定リスト
１１〜２４    センサボックス
４１    光学検出部
４２    電波検出部
４３    制御部
４６    温度制御部
【図１】
0006350377.tif 000002
【図２】
0006350377.tif 000003
【図３】
0006350377.tif 000004
【図４】
0006350377.tif 000005
【図５】
0006350377.tif 000006
【図６】
0006350377.tif 000007
【図７】
0006350377.tif 000008
【図８】
0006350377.tif 000009